(57)【要約】      （修正有）【課題】軽量で嵩張ることのない眼鏡の装着保持方法を提供する。【解決手段】連繋部３で繋がれた、左右のレンズ２、２の内側対向縁に鼻当てパッド部４、４が設けられた蔓なし眼鏡１と顔面の鼻柱上部からその両側にわたる部分に剥離自在な皮膚保護皮膜を形成する医療用ヘルスケアテープ鼻当てパットシールと蔓なし眼鏡１を鼻当てパッド部４、４に鼻当てパットシールを必ず剥離紙（白色）の剥離紙を剥がし、鏡を見ながら顔面にそっと押圧し装着保持する。化粧後も装着保持が可能である。眼鏡の装着保持方法。【選択図】図１
2011145643.tif 000002
【特許請求の範囲】
【請求項１】
眼鏡用の鼻当てパットシールであって、剥離紙１とその上面に、両面テープを積層し、更にその上面に皮膚保護皮膜を形成し更にその上面に前記剥離紙１と異なる色採である剥り紙２を設けた鼻当てパットシール。
【発明の詳細な説明】
【技術分野】
【０００１】本発明は嵩張ることのない眼鏡用の鼻当てパットシールに関するものである。
【背景技術】
【０００２】従来の眼鏡は、連繋部で繋がれた左右のレンズフレームまたはレンズの対向内側縁に鼻当てパッド部を設けるとともに外側縁に蔓を取り付けたものを普通とするため、重くて嵩張り使用上不便なものであった。蔓を無くした蔓なし眼鏡も提案されているが従来の蔓なし眼鏡は、鼻当てパッド部の鼻当て面にシリコン樹脂などの摩擦抵抗の大きい層を設けて滑り難くしたり、鼻当てパッド部間にばね性を持たせて鼻柱上部を弾発挟持させるようにしたものであって、短時間の装着はできても、保持力が乏しいために長時間にわたり装着し続けることはできず、また、運動時などの動きの激しい者の使用には到底耐えられないものであった。又本発明者は眼鏡および眼鏡の装着保持の発明を保育している。
【先行技術文献】
【特許文献】
【０００３】
【特許文献１】実開昭６３−２９１１８号公報
【特許文献２】特許第３９５７７０１号
【発明の概要】
【発明が解決しようとする課題】
【０００４】本発明が解決しようとする問題点は、保持力が強くて、長時間にわたる連続使用や、動きの激しい者の使用に耐えることや顔面化粧した上からも使用できるので男性も女性も簡単に使用できる眼鏡用の鼻当てパットシールを提供することにある。
【課題を解決するための手段】
【０００５】眼鏡用の鼻当てパットシールであって、剥離紙１とその上面に両面テープを積層し、更にその上面に皮膚保護皮膜を形成し更にその上面に前記剥離紙１と異なる色採である剥離紙２を設けた鼻当てパットシール。請求項１の発明とする。なお前記した鼻当てパット部に両面テープと剥離自在な皮膚保護皮膜を形成するヘルスケアテープを貼り合せ一つの物（鼻当てパットシール）としたので、装着時間が短く簡単にでき、鼻当てパットシールが小さいので、持運びがらくになる。なお前記したような眼鏡においては、左右のレンズを大きさが左右の眼の輪郭大と略同大とする無枠の合成樹脂製小型レンズとし、より軽量化することもでき、レンズが小さいので、装着時、目線を上下させることで、遠近両用眼鏡となる。また鼻当てパットシールを鼻当てパッド部２カ所と、コメカミパッド部２カ所計４カ所で、装着保持すれば、大きな眼鏡、大きなサングラスも装着できる。さらに顔面に、化粧した後でも蔓なし眼鏡を装着することができるので男性、女性どちらでも使用できる眼鏡、サングラスである。化粧も顔面にとっては、皮膚保護皮膜を形成する装着材料のひとつだと思う。皮膚保護皮膜形成材料としては、医療用ヘルスケアテープを使用し皮膚に優しく保持力が強く医療用であるので安全性も高く市販している。
【発明の効果】
【０００６】前記した、本発明の眼鏡用鼻当てパットシールは、本体が連繋部で繋がれた左右のレンズの内側向縁に鼻当てパッド部が設けられただけの蔓なし眼鏡であるから軽量なうえ嵩張ることがない。また、装着する時は、前記したような蔓なし眼鏡と組み合わせられている鼻当てパッド部に、剥離自在な皮膚保護ヘルスケアテープを装着し剥離紙を剥し顔面にそっと押圧する。長時間にわたる連続した装着や運動選手その他動きの激しい者の着用にも耐えるものとなる。【０００７】また本発明の装着方法は、最初に蔓なし眼鏡の鼻当てパッド部側に鼻当てパットシールを白色の剥離紙を剥がし接着させ準備して置く、そして洗顔し顔面側の色違いの剥離紙を剥がし鏡を見ながら顔面にそっと押圧し装着する。【０００８】なお請求項１の発明は鼻当てパッド部に両面テープと剥離自在な皮膚保護皮膜を形成する医療用ヘルスケアテープを剥り合せ一体成形し単体の物とした。これを鼻当てパットシールとした。なお鼻当てパッド部側が両面テープ（白色）顔面側を剥離自在な皮膚保護皮膜形成する医療用ヘルスケアテープの粘着の上に色違いの剥離紙を置いて単体の鼻当てパットシールとしたので、顔面どの位置でも装着保持ができ装着も簡単になり時間も短くなった。さらに左右のレンズの大きさが、左右の眼の輪郭大と略同大の無枠な合成樹脂製小型レンズとしたので一層軽量化ができるうえに眼鏡の着用が目立たないのでファッション性のうえからも好ましいものとなる。さらにレンズが小さいので装着時、遠近両用眼鏡になるので、新間、雑誌を見る時いちいち眼鏡をはずしていたが、目線を下げるだけで見ることができるから、いちいち眼鏡をはずさなくてすむ。単独で使用できるので、大きなサングラスや大きな眼鏡に鼻当てパットシールを鼻当てパッド部とコメカミ部にも使用し、四カ所で装着するので安定がいい。安価に量産できて簡易サングラスなどに好適なものとなる。さらにまた、化粧した後でも蔓なし眼鏡、サングラスを装着することができるので男性、女性どちらでも使用できる。そして、脱着時も眼鏡及びサングラス本体鼻当てパットシール付きで水洗いができるので衛生的である。本発明方法に用いる皮膚保護皮膜材料として皮膚に優しい粘着力及び皮膚に付き易い性質を有し、医療用ヘルスケアテープを用いたので安全性のうえからも好ましいものである。
【図面の簡単な説明】
【０００９】
【図１】本発明の第１例を説明するための一部切欠斜視図である。
【図２】蔓なし眼鏡の鼻当てパッド部に接着保持させる鼻当てパットシールの説明図である。
【図３】本発明の第２例を説明するための一部切欠斜視図である。
【発明を実施するための形態】
【００１０】次に本発明方法を、図１、図２、図３、に基づいて詳細に説明する。図１に示した第１例において１は、老眼用近眼用など任意の用途に用いる蔓なし眼鏡である。この蔓なし眼鏡１はフレーム無しのプラスチック製の左右のレンズ２、２をその対向内側縁において、チタンなどの軽金属やポリアセタール樹脂などのプラスチックその他任意の軽量材料よりなる連繋部３で繋いでこれに鼻当てパッド部４、４を取付たものであるが、左右のレンズ２．２の大きさを大のの眼の輪郭大程度としておけば図３の（６）のような眼線を下げると眼鏡をはずさなくても新聞、雑誌等を読むことができ、フアシヨン性のうえからも興趣深いものとなる。また前記した鼻当てパッド部４、４は連繋部３に対して角度調整自在に取付けられたものとしておけば着用者名人にフィットするので好ましいことである。
【００１１】図１の鼻当パッド部４に装着保持させる鼻当てパットシール５としました。図２の鼻当パットシール５は下面５Ｃは剥離紙１とし（白色）とした。又、５ａを両面テープ中面とし５ｂを剥離自在な皮膚保護皮膜を形成する、医療用ヘルスケアテープとし、上面５ｄは剥離紙１と色違いの剥離紙２を貼り合わせたものである。作り方として、最初に接着材料５ａの両面テープに、剥離自在な皮膚保護皮膜を形成する医療用ヘルスケアテープ５ｂの接着面を外側に向け、接着しその上に、色違いの剥離紙５Ｄを置いてその上から押圧でしっかり貼り合せ鼻当てパッド部４の大きさにあわせて切るこれを鼻当てパットシール５とした。安価に量産できる。図２、（２）に示したようにでき好適なものとなる。なお、顔面皮膚を守るため、必ず剥離紙の色を鼻当てパッド部４側の色と５Ｃ顔面側色違いの色５Ｄとする。
【００１２】図１の蔓なし眼鏡１を装着するには、最初に鼻当てパッド部４の角度を鼻にあわせ鼻当てパットシール５をこの例では白色剥離紙５Ｃを剥がし、鼻当パッド部４に接着して置く、次に洗顔し顔面側の色違いの剥離紙５Ｄを剥がし鏡を見ながら蔓なし眼鏡１を顔面の所定位置に装着保持される。
【００１３】一方図３（１）〜（５）に示した、サングラス６は蔓がないので自由な設計ができ鼻当てパットシール５で、鼻当てパッド部４、４  ２カ所、コメカミパッド部７、７の２カ所で合計４カ所で装着保持されるので安定性がよく、正面から各パッド部４が見えないのでファッション性も好ましいものである。また図２（２）に示したように鼻当てパットシールは鼻当パット形状にポンチにより一部を残して打板くことでシートのつなぎ１０がしっかりしていて、持ち運びが楽である。眼鏡及びサングラスの本体鼻当パットシール付きで水洗いができ、衛生面にもよく当然皮膚にもよい。また皮膚保護皮膜材料５ｂは片面に絆創膏や貼布薬の粘着剤として用いられている耐アレルギー性を配慮したアクリル系の粘着剤ポリエチレンフィルム５ｂを層着したうえに色違いの剥離紙（２）５ｄで覆ったそれを両面テープ５ａの粘着性の上に接着させる。
【００１４】蔓なし眼鏡１を装着するには、最初に鼻当てパッド部４の角度を鼻に合せ鼻当てパットシール５を白色の剥離紙１、５Ｃを剥がし、鼻当てパッド部４に接着して置く、次に、洗顔し顔面側の色違いの剥離紙２、５Ｄを剥がし鏡を見ながら蔓なし眼鏡１はその鼻当てパッド部４鼻当てパットシール５付きをもって顔面の所定位置にそっと押圧し装着保持する。サングラスも同様鏡を見ながら、四カ所を装着保持する。このようにして装着された蔓なし眼鏡は長時間にわたる、装着や、運動選手その他動きの激しい者の着用にも耐える接着強度を有すものとなり、しかも剥離自在な皮膚保護皮膜を形成する皮膚保護皮膜材料の皮膚に優しい粘着力及び皮膚に付き易い性質を利用していて、直接接着材料が皮膚に触れることがないようにしたのでこの皮膚保護皮膜の皮膚保護作用で皮膚が接着材料に含まれる、溶剤などにより侵されることがなくて、安全性のうえからも好ましいものである。
【産業上の利用可能性】
【００１５】眼鏡業界において利用できる技術である。
【符号の説明】
【００１６】１、蔓なし眼鏡
２、レンズ
３、連繋部
４、鼻当てパッド部
５、鼻当てパットシール
2011145643.tif 000003
６、大きな蔓なしサングラス
７、コメカミパッド部
８、遠近両用になる眼鏡、眼線
９、大きな蔓なし眼鏡
１０  シールパットのつなぎ部
【図１】
2011145643.tif 000004
【図２】
2011145643.tif 000005
【図３】
2011145643.tif 000006
【手続補正書】
【提出日】平成22年11月5日(2010.11.5)
【手続補正１】
【補正対象書類名】明細書
【補正対象項目名】０００５
【補正方法】変更
【補正の内容】
【０００５】本願発明は、眼鏡用の鼻当てパットシールであって剥離紙１とその上面に、両面テープを積層し、更にその上面に皮膚保護皮膜を形成し更にその上面に前記剥離紙１と異なる色彩である剥離紙２を設けたシートであってつなぎ部を残して鼻当てパット形状に打ち抜いた鼻当てパットシールである。なお前記した鼻当てパッド部に両面テープと剥離自在な皮膚保護皮膜を形成するヘルスケアテープを貼り合わせ一つの物（鼻当てパットシール）としたので装着時間が短く簡単にでき鼻当てパットシールが小さいので、持運びがらくになる。なお、前記したような眼鏡においては、左右のレンズを大きさが左右の眼の輪郭大と略同大とする無枠の合成樹脂製小形レンズとし、より軽量化することもでき、レンズが小さいので、装着時、目線を上下させることで遠近両用眼鏡となる。また鼻当てパットシールを鼻当てパッド部２カ所と、コメカミパッド部２カ所計４カ所で、装着保持すれば、大きな眼鏡、大きなサングラスも装着できる。さらに顔面に化粧した後でも蔓なし眼鏡を装着することができるので男性、女性どちらでも使用できる眼鏡、サングラスである。化粧も顔面にとっては、皮膚保護皮膜を形成する装着材料のひとつだと思う。皮膚保護皮膜形成材料としては医療用ヘルスケアテープを使用し皮膚に優しく保持力が強く医療用であるので安全性も高く市販している。
【手続補正２】
【補正対象書類名】明細書
【補正対象項目名】００１１
【補正方法】変更
【補正の内容】
【００１１】図１の鼻当てパッド部４に装着保持させる鼻当てパットシール５としました。図２の鼻当てパットシール５は下面５Ｃは剥離紙１とし（白色）とした。又、５ａを両面テープ中面とし５ｂを剥離自在な皮膚保護皮膜を形成する、医療用ヘルスケアテープとし、上面５ｄは剥離紙１と色違いの剥離紙２を貼り合わせたものである。作り方として、最初に接着材料５ａの両面テープに、剥離自在な皮膚保護皮膜を形成する医療用ヘルスケアテープ５ｂの接着面を外側に向け、接着しその上に、色違いの剥離紙５Ｄを置いてその上から押圧でしっかり貼り合わせ鼻当てパッド部４の大きさにあわせて切るこれを鼻当てパットシール５とした。安価に量産できる。図２、（２）に示したようにでき好適なものとなる。なお、顔面皮膚を守るため、必ず剥離紙の色を鼻当てパッド部４側の色と５Ｃ顔面側色違いの色５Ｄとする。
【手続補正３】
【補正対象書類名】明細書
【補正対象項目名】００１３
【補正方法】変更
【補正の内容】
【００１３】一方図３（１）〜（５）に示した、サングラス６は蔓がないので自由な設計ができ鼻当てパットシール５で、鼻当てパッド部４、４  ２カ所、コメカミパッド部７、７の２カ所で合計４カ所で装着保持されるので安定性がよく、正面から各パッド部４が見えないのでファッション性も好ましいものである。また図２（２）に示したように鼻当てパットシールは鼻当てパット形状にポンチにより一部を残して打抜くことでシートのつなぎ１０がしっかりしていて、持ち運びが楽である。眼鏡及びサングラスの本体鼻当てパットシール付きで水洗いができ、衛生面にもよく当然皮膚にもよい。また皮膚保護皮膜材料５ｂは片面に絆創膏や貼布薬の粘着剤として用いられている耐アレルギー性を配慮したアクリル系の粘着剤ポリエチレンフィルム５ｂを層着したうえに色違いの剥離紙（２）５ｄで覆ったそれを両面テープ５ａの粘着性の上に接着させる。
【手続補正４】
【補正対象書類名】特許請求の範囲
【補正対象項目名】請求項１
【補正方法】変更
【補正の内容】
【請求項１】
眼鏡用の鼻当てパットシールであって、剥離紙１とその上面に、両面テープを積層し、更にその上面に皮膚保護皮膜を形成し、更にその上面に前記剥離紙１と異なる色彩である剥離紙２を設けたシートであって、つなぎ部を残して鼻当てパット形状に打ち抜いた鼻当てパットシール。
【手続補正書】
【提出日】平成23年3月3日(2011.3.3)
【手続補正１】
【補正対象書類名】明細書
【補正対象項目名】０００５
【補正方法】変更
【補正の内容】
【０００５】  本願発明は、眼鏡用の複数の鼻当てパットシールを有するシートであって、剥離紙１とその上面に、両面テープを積層し、更にその上面に皮膚保護皮膜を形成し更にその上面に前記剥離紙１と異なる色彩である剥離紙２を設けたシートであって、つなぎ部を残して鼻当てパット形状に打ち抜いた複数の鼻当てパットシールを有するシートである。なお、前記した鼻当てパット部に両面テープと剥離自在な皮膚保護皮膜を形成するヘルスケアテープを貼り合わせ一つの物（鼻当てパットシール）としたので、装着時間が短く簡単にでき、鼻当てパットシールが小さいので、持運びがらくになる。なお、前記したような眼鏡においては、左右のレンズを大きさが左右の眼の輪郭大と略同大とする無枠の合成樹脂製小型レンズとし、より軽量化することもでき、レンズが小さいので、装着時、目線を上下させることで、遠近両用眼鏡となる。また鼻当てパットシールを鼻当てパッド部２カ所と、コメカミパッド部２カ所計４カ所で装着保持すれば、大きな眼鏡、大きなサングラスも装着できる。さらに顔面に化粧した後でも蔓なし眼鏡を装着することができるので男性、女性どちらでも使用できる眼鏡、サングラスである。化粧も顔面にとっては、医療用ヘルスケアテープを使用し皮膚に優しく保持力が強く医療用であるので安全性も高く市販している。
【手続補正２】
【補正対象書類名】特許請求の範囲
【補正対象項目名】全文
【補正方法】変更
【補正の内容】
【特許請求の範囲】
【請求項１】
眼鏡用の複数の鼻当てパットシールを有するシートであって、剥離紙１とその上面に、両面テープを積層し、更にその上面に皮膚保護皮膜を形成し更にその上面に前記剥離紙１と異なる色彩である剥離紙２を設けたシートであって、つなぎ部を残して鼻当てパット形状に打ち抜いた複数の鼻当てパットシールを有するシート